(57)【要約】      （修正有）【課題】どこにでも設置でき安価で、手入れも簡単な、空気＆手の銅板滅菌具を提供する。【解決手段】空気＆手の銅板滅菌具は、底板１、接着剤３、銅板２を含み、接着剤３で底板１の正面と銅板２の背面とを接着する。空気＆手の銅板滅菌具は、さらに枠板４と接着剤３を含み、接着剤３で枠板４の背面と、底板１の正面と、銅板２の正面を接着する。底板、枠板には取付け穴５を設ける。【選択図】図１
0003234621.tif 000002
【実用新案登録請求の範囲】
【請求項１】
底板を設け、接着剤を設け、銅板を設け、接着剤で底板の正面と銅板の背面とを接着することを特徴とする空気＆手の銅板滅菌具。
【請求項２】
枠板を設け、接着剤を設け、接着剤で枠板の背面と、底板の正面と、銅板の正面に接着することを特徴とする請求項１に記載の空気＆手の銅板滅菌具。
【請求項３】
底板、枠板に取付け穴を設けたことを特徴とする請求項１と請求項２とのいずれか１項に記載の空気＆手の銅板滅菌具。
【考案の詳細な説明】
【技術分野】
【０００１】  本考案は、銅板の殺菌効果を利用して、空気中にただよう菌やウイルスを滅菌する空気＆手の銅板滅菌具に関するものである。
【背景技術】
【０００２】  銅板、真鍮板など銅を含んだ金属が菌やウイルス、に対して殺菌効果があることはよく知られている。
病院では、菌やウイルスの空気感染予防対策に、床や壁を銅板、真鍮板など銅を含んだ殺菌効果のある建材に変える工事が知られている。
【考案が解決しようとする課題】
【０００３】  そのために次のような問題点があった。
（イ）工事業者の工事が必要であり費用がかかる。
（ロ）工事後、壁の殺菌効果を維持するため、新たに壁面の清掃作業が必要である。
本考案は、以上の問題点を解決するためになされたものである。
【課題を解決するための手段】
【０００４】  底板を設け、接着剤を設け、銅板を設け、接着剤で底板の正面と銅板の背面とを接着する。枠板を設け、接着剤を設け、接着剤で枠板の背面と、底板の正面と、銅板の正面に接着する。底板、枠板に取付け穴を設けたことを特徴とする空気＆手の銅板滅菌具である。
【考案の効果】
【０００５】  本考案は、使用する場合には工事業者の工事が必要なく、大変安価に、そして使用者の近くに設置することができるので、菌やウイルスの空気感染予防対策になる。さらに銅板に手のひらを接触させ、手のひらを滅菌する事ができる。手入れも簡単にできる。
【考案を実施するための最良の形態】
【０００６】  以下、本考案の実施の形態を説明する。
（イ）銅板（２）の背面に接着剤（３）を塗り、底板（１）の正面に接着する。
（ロ）接着剤が固まった後に、枠板（４）の背面に接着剤（３）を塗り、底板（１）の正面と銅板（２）の正面に接着する。
（ハ）上記の接着剤が固まった後に、取付け穴（５）をあける。
本考案は、以上の構成よりなっている。
本考案を使用するときは、
（イ）机、テーブル、カウンター等の上に置いて使用する場合。手の除菌は、時々銅板面に手のひらをタッチするのがよい。空気の除菌は、銅板面に接触した空気中の菌、ウイルスが銅イオンの効果により約４時間から５時間後に死滅する。
（ロ）吊下げて使用する場合。取付け穴に紐やクサリを通し玄関、洗面所、トイレ等のドアノブなどに吊下げて使用する。
（ハ）壁に取付けて使用する場合。取付け穴にネジ、クギ等を通し壁面に取付ける。
（ニ）手入れする場合。銅板正面の手の脂、油煙分、ほこり、菌、ウイルスなどを取り除く為に、適時行ってください。汚れが付着したままの状態では、除菌効果が無くなります（参考として住宅内では、１日１〜２回）。上記汚れを、薄めたキッチン用洗剤で洗った布を固く絞って拭き取り、きれいな布で水分を拭き取ります。高価な消毒用アルコールは使わなくて良いでしょう。
【図面の簡単な説明】
【０００７】
【図１】本考案の斜視図
【図２】本考案の分解斜視図
【符号の説明】
【０００７】    １    底板
２    銅板
３    接着剤
４    枠板
５    取付け穴
【図１】
0003234621.tif 000003
【図２】
0003234621.tif 000004
【手続補正書】
【提出日】令和3年7月12日(2021.7.12)
【手続補正１】
【補正対象書類名】明細書
【補正対象項目名】全文
【補正方法】変更
【補正の内容】
【考案の詳細な説明】
【技術分野】
【０００１】本考案は、銅板の抗菌効果を利用して、本器具銅板正面における菌やウイルスの増殖を抑制する空気＆手の銅板抗菌具に関するものである。
【背景技術】
【０００２】銅板、真鍮板など銅を含んだ金属が菌やウイルス、に対して抗菌効果があることはよく知られている。病院等では、菌やウイルスの空気感染予防対策に、床や壁面を銅、真鍮など銅を含んだ抗菌効果のある建材に変える工事が知られている。
【考案が解決しようとする課題】
【０００３】そのために次のような問題点があつた。（イ）抗菌効果のある建材に変える工事が必要であり費用がかかる。（ロ）工事後、床面、壁面の抗菌効果を維持するため、新たに壁面の清掃作業も必要になる。
【課題を解決するための手段】
【０００４】底板を設け、接着剤を設け、銅板を設け、接着剤で底板の正面と銅板の背面とを接着する。枠板を設け、接着剤を設け、接着剤で枠板の背面と、底板の正面と、銅板の正面に接着する。底板、枠板に取付け穴を設けたことを特徴とする空気＆手の銅板抗菌具である。
【考案の効果】
【０００５】本考案を使用する場合には、専門業者の工事が必要ないので大変安価であり、使用者の近くに設置でき、手入れも簡単である。空気は自然に銅板正面に触れて除菌され、さらに銅板の正面に手のひらを接触させて、手のひらを除菌する事ができる。
【考案を実施するための最良の形態】
【０００６】以下、本考案の実施の形態を説明する。
（イ）銅板（２）の背面に接着剤（３）を塗り、底板（１）の正面に接着する。
（ロ）接着剤が固まった後に、枠板（４）の背面に接着剤（３）を塗り、底板（１）の正面と銅板（２）の正面に接着する。
（ハ）上記の接着剤が固まった後に、取付け穴（５）をあける。
本考案は、以上の構成よりなっている。
本校案を使用するときは、
（イ）机、テーブル、カウンター等の上に置いて使用する場合。菌やウイルスに汚染された空気が自然に銅板正面に接触し銅イオンの抗菌作用で除菌される。手の除菌は、時々銅板正面に手のひらを接触させ銅イオンの抗菌作用で手のひらを除菌する。
（ロ）吊下げて使用する場合。本器具の取付け穴に紐やクサリを通し、玄関、洗面所、トイレ等のドアノブ等に吊下げて使用する。あるいは柱、壁面等にフックを取り付ければ希望する場所で吊下げて使用する事ができる。
（ハ）壁面に取付けて使用する場合。本器具の取付け穴にネジ、クギ等を通して好みの場所に設置する事ができる。
（ニ）本器具の手入れ。本器具正面銅板の、ほこり、手の油、油煙分、菌、ウイルスなどを取り除く為に、適時掃除してください。汚れが付着したままの状態では、銅板の抗菌効果が無くなります。上記汚れを落とすにはキッチン用中性洗剤、又は石鹸で洗った布を固く絞って拭き取り、きれいな乾いた布で水分を拭き取ります。市販の除菌シートを使用してもよい。
【図面の簡単な説明】
【０００７】
【図１】本考案の斜視図
【図２】本考案の分解斜視図
【符号の説明】
【０００８】１  底板
２  銅板
３  接着剤
４  枠板
５  取付け穴